【事件の表示】
　平成　４年特許願第２７６１３６号「感熱記録材料」拒絶査定不服審判事件〔平成　６年　５月１０日出願公開、特開平　６−１２７１２４〕について、次のとおり審決する。
【結　論】
　本件審判の請求は、成り立たない。
【理　由】
１．手続の経緯・本願発明
　本願は、平成４年１０月１４日の出願であって、平成１３年２月２６日付けで拒絶理由が通知され、平成１３年５月３１日付けで明細書の補正がなされ、平成１３年１２月４日付けで拒絶査定がなされ、その後、平成１４年１月９日付けで明細書の補正がなされ、当審において平成１６年４月５日付けで拒絶理由が通知されたものであり、その請求項１に係る発明は次のとおりのものである。
「【請求項１】  支持体の片面に、ロイコ染料、顕色剤、増感剤及びヒンダードフエノール類を含む感熱発色層を設けた感熱記録材料において、該ロイコ染料が３−ジブチルアミノ−６−メチル−７−アニリノフルオランで、該顕色剤が２，４’−ジヒドロキシジフエニルスルホンで、該増感剤が２ーベンジルオキシナフタレンでかつ該ヒンダードフエノール類が１，１，３−トリス−（２−メチル−４−ヒドロキシ−５−シクロヘキシルフエニル）ブタン、１，１，３−トリス（２−メチル−４−ヒドロキシ−５−ターシャリーブチルフエニル）ブタン又は４，４’−ブチリデンビス（３−メチル−６−ターシャリーブチルフエノール）の少なくとも１種であり、更に、該感熱発色層の上に保護層が設けられていることを特徴とする感熱記録材料。」
　
２．当審の拒絶理由の概要
　本件出願の請求項１に係る発明は、その出願前日本国内において頒布された、
　　刊行物１：特開平４−２１６９９３号公報
　　刊行物２：特開平４−１３５７８９号公報
に記載された発明に基づいて、その出願前にその発明の属する技術の分野における通常の知識を有する者が容易に発明をすることができたものであるから、特許法第２９条第２項の規定により特許を受けることができない。
　
３．引用刊行物の記載内容
・刊行物１には、
ア.「【請求項１】支持体上に、無色ないし淡色の塩基性染料、該染料と反応して呈色し得る呈色剤を含有する記録層を設けた感熱記録体において、
該塩基性染料として３−ジ（ｎ−ブチル）アミノ−７−（ｏ−クロロフェニルアミノ）フルオラン、該呈色剤として２，４′−ジヒドロキシジフェニルスルホン、および熱可融性物質として１，１，３−トリス（５−シクロヘキシル−４−ヒドロキシ−２−メチルフェニル）ブタンと２−（２′−ヒドロキシ−５′−メチルフェニル）ベンゾトリアゾールを記録層中に含有せしめたことを特徴とする感熱記録体。
【請求項２】記録層中に、熱可融性物質としてヒンダードフェノール化合物を含有せしめた〔請求項１〕記載の感熱記録体。」（特許請求の範囲請求項１、２）、
イ.「【０００８】・・・本発明では更に、熱可融性物質として、以下に例示するようなヒンダードフェノール化合物を記録層中に含有させると、高温環境下での印字部分の保存性が一段と向上された感熱記録体が得られる。かかるヒンダードフェノール化合物の具体例としては、２，２′−メチレンビス（４−メチル−６−ｔｅｒｔ−ブチルフェノール）、・・・４，４′−ブチリデンビス（６−ｔｅｒｔ−ブチル−３−メチルフェノール）、・・・１，１，３−トリス（２−メチル−４−ヒドロキシ−５−ｔｅｒｔ−ブチルフェニル）ブタン、１，１，３−トリス（５−シクロヘキシル−４−ヒドロキシ−２−メチルフェニル）ブタン、・・・等が挙げられる。・・・」
ウ.「【００１５】前述の如く本発明では、特定の塩基性染料を使用するものであるが、本発明の効果を阻害しない範囲で他の塩基性染料を併用することも可能である。かかる塩基性染料としては例えば、・・・３−ジ−ｎ−ブチルアミノ−６−メチル−７−フェニルアミノフルオラン、・・・等が挙げられる。」
エ.「【００１７】更に、熱可融性物質としても、本発明で特定した物質以外に、本発明の効果を阻害しない範囲で他の公知の熱可融性物質を併用することも可能である。かかる熱可融性物質としては、例えば、・・・２−ナフトールベンジルエーテル・・・等が挙げられる。」
オ．「【００２６】
【実施例１】
(1)　中間層の形成
　焼成クレー（商品名：アンシレックス、ＥＭＣ社製）　　　　　１００部
　スチレン・ブタジエン共重合体ラテックス（固形分：５０％）　　１５部
　ポリビニルアルコール　１０％水溶液　　　　　　　　　　　　　３０部
　水　　　　　　　　　　　　　　　　　　　　　　　　　　　　２００部
　上記組成物を混合して中間層用塗液を調製した。得られた塗液を５０ｇ／ｍ２の上質紙に乾燥後の塗布量が７ｇ／ｍ２となるように塗布・乾燥して中間層を形成した。
【００２７】
(2)　Ａ液調製
　３−ジ（ｎ−ブチル）アミノ−７−（ｏ−クロロフェニルアミノ）フルオラン　　　　　　　　　　　　　　１０部
　５％メチルセルロース水溶液　　　　　　　　　　　　　　　　　１０部
　水　　　　　　　　　　　　　　　　　　　　　　　　　　　　　１０部
　この組成物をサンドミルで平均粒子径が０．８μｍとなるまで粉砕した。
【００２８】
(3)　Ｂ液調製
　２，４′−ジヒドロキシジフェニルスルホン　　　　　　　　　　５０部
　５％メチルセルロース水溶液　　　　　　　　　　　　　　　　　５０部
　水　　　　　　　　　　　　　　　　　　　　　　　　　　　　　４０部
この組成物をサンドミルで平均粒子径が１．４μｍとなるまで粉砕した。
【００２９】(4)　感熱記録層の形成
　Ａ液３０部、Ｂ液１４０部、１０％ポリビニルアルコール水溶液１６０部、炭酸カルシウム３５部、水１００部を混合攪拌し、感熱記録層用塗液を得た。得られた塗液を上記中間層上に乾燥重量が７ｇ／ｍ２となるように塗布・乾燥した。
【００３０】(5)　保護層の形成
　アセトアセチル基変性ポリビニルアルコール（商品名：ゴーセファイマーＺ−２００、日本合成化学社製）の１０％水溶液２００部とカオリン（商品名：ＵＷ−９０、ＥＭＣ社製）６０部、３０％ステアリン酸亜鉛分散液１５部、水１４０部を混合攪拌して保護層用の塗液を得た。得られた塗液を、上記感熱記録層上に乾燥後の塗布量が６ｇ／ｍ２となるように塗布乾燥して保護層を有する感熱記録体を得た。
【００３１】
【実施例２〜４】・・・２，４′−ジヒドロキシジフェニルスルホン４０部、１，１，３−トリス（５−シクロヘキシル−４−ヒドロキシ−２−メチルフェニル）ブタン１０部〔実施例３〕、２，４′−ジヒドロキシジフェニルスルホン４０部、１，１，３−トリス（５−シクロヘキシル−４−ヒドロキシ−２−メチルフェニル）ブタン５部、２−（２′−ヒドロキシ−５′−メチルフェニル）ベンゾトリアゾール５部〔実施例４〕、を各々用いた以外は実施例１と同様にして感熱記録体を得た。
【００３２】
【比較例１】Ａ液調製において、３−ジ（ｎ−ブチル）アミノ−７−（ｏ−クロロフェニルアミノ）フルオランの代わりに３−ジ（ｎ−ブチル）アミノ−６−メチル−７−フェニルアミノフルオランを用いた以外は実施例１と同様にして感熱記録体を得た。」
カ．感熱記録紙の記録像の濃度を評価した結果、発色濃度が、実施例１では１．１８、実施例３では１．１７、比較例１では１．２５であること、及び高温処理後の発色濃度が、実施例１では１．０３、実施例３では１．０９、比較例１では１．２８であること（【００３７】の表１）」
が記載されている。
　　
・刊行物２には、
キ.「(1)無色又は淡色の塩基性染料と該染料と接触して呈色し得る呈色剤との反応を利用した感熱記録体において、該呈色剤として２，４’−ジヒドロキシジフエニルスルホンを使用し、且つ下記一般式〔I〕又〔II〕で表されるエポキシ樹脂の少なくとも一種を含有することを特徴とする感熱記録体。
　　　《一般式〔I〕、〔II〕の化学構造式は省略》
(2)記録層表面に保護層を有する請求項(1)記載の感熱記録体。」(特許請求の範囲第１、２項）、
ク.「しかし、スーパーマーケット等でＰＯＳシステムを導入した場合、ラベルは水、ラップ類、油などに触れることが多く、結果的にその影響で感熱ラベルの記録像（印字）が褪色する欠陥が認められる。そのため、感熱記録体には耐水性、耐可塑剤性、耐油性等の保存安定性を備えることが要請されている。
　従来、記録像の保存安定性を改良するために、感熱記録層上にフィルム形成能を有し耐薬品性をのある樹脂の水性エマルジョンを塗布する方法（特開昭５４−１２８３４７号公報）、ポリビニルアルコール等の水溶性高分子化合物を塗布する方法（実開昭５５−１２５３５４号公報）等が提案されている。また、感熱記録層中に各種の保存性改良剤を添加する方法も提案されているが、いずれの場合も改良に伴って記録濃度が低下したり、感熱記録層の白色度が低下する等の新たな欠点が付随し、且つ、特に、耐水性と耐可塑剤性とが同時に要求される耐水可塑剤性については殆ど満足すべき結果が得られていないのが現状である。
「発明の解決しようとする課題」
　本発明は上記の如き問題を解決して、記録後の保存安定性、特に耐可塑剤性、耐油性、耐水性、耐水可塑剤性に優れ、しかも高温環境下に曝されても地肌カブリの発生による白色度の低下がない感熱記録体を提供するものである。」(２頁左上欄１０行〜右上欄１５行)、
ケ.「増感剤の具体例としては、例えばステアリン酸アミド、・・・４，４′−ブチリデンビス（６−ｔｅｒｔ−ブチル−３−メチルフェノール）、・・・１，１，３−トリス（２−メチル−４−ヒドロキシ−５−ｔｅｒｔ−ブチルフェニル）ブタン、１，１，３−トリス（５−シクロヘキシル−４−ヒドロキシ−２−メチルフェニル）ブタン、・・・ナフチルベンジルエーテル、・・・熱可融性物質等が挙げられる。」(４頁右下欄１７行〜５頁右上欄１０行)、
コ.「実施例１
(1)　Ａ液調製
　３−ジ（ｎ−ブチル）アミノ−６−メチル−７−フェニルアミノフルオラ　ン　　　　　　　　　　　　　　　　　　　　　　　　　　　　　１０部
　メチルセルロース　５％水溶液　　　　　　　　　　　　　　　　　５部
　水　　　　　　　　　　　　　　　　　　　　　　　　　　　　　４０部
　この組成物をサンドミルで平均粒子径が０．８μｍとなるまで粉砕した。
(2)　Ｂ液調製
　２，４′−ジヒドロキシジフェニルスルホン　　　　　　　　　　３０部
　メチルセルロース　５％水溶液　　　　　　　　　　　　　　　　　５部
　水　　　　　　　　　　　　　　　　　　　　　　　　　　　　　８０部
　この組成物をサンドミルで平均粒子径が１．２μｍとなるまで粉砕した。
(3)　Ｃ液調製
　１，２−ジ（３−メチルフェノキシ）エタン　　　　　　　　　　２０部
　メチルセルロース　５％水溶液　　　　　　　　　　　　　　　　　５部
　水　　　　　　　　　　　　　　　　　　　　　　　　　　　　　５５部
　この組成物をサンドミルで平均粒子径が１．２μｍとなるまで粉砕した。
(4)　Ｄ液の調製
　１，４−ジ（グリシジルオキシ）ベンゼン〔ナガセ化成工業社製，商品名　：デナコール ＥＸ−２０３，融点：１００℃〕 　　　　　　　　２０部
　メチルセルロース　５％水溶液　　　　　　　　　　　　　　　　　５部
　水　　　　　　　　　　　　　　　　　　　　　　　　　　　　　５５部
　この組成物をサンドミルで平均粒子径が２．１μｍとなるまで粉砕した。
(5)　記録層の形成
　Ａ液５５部、Ｂ液１１５部、Ｃ液８０部、Ｄ液２４部、１０％ポリビニルアルコール水溶液８０部、炭酸カルシウム３５部を混合攪拌して得られた塗液を５０ｇ／ｍ２の原紙に乾燥後の塗布量が６ｇ／ｍ２となるように塗布乾燥して感熱記録体を得た。」(６頁右上欄８行〜右下欄４行)、
サ.「実施例４
(1)　記録層の形成
　実施例１と同様にして感熱記録体を得た。
(2)　保護層の形成
　アセトアセチル化ポリビニルアルコールの１０％水溶液８０部、部分鹸化ポリビニルアルコール（商品名：ＰＶＡ−２１７，クラレ製）の１０％水溶液２０部、炭酸カルシウム２０部、水５０部を混合攪拌して得た塗液を上記感熱記録体の記録層上に乾燥後の塗布量が６ｇ／ｍ２となるように塗布乾燥して保護層を有する感熱記録体を得た。」(７頁左下欄下から１１〜末行)
が記載されている。
　　
４．当審の判断
　刊行物１の請求項に係る発明には、ロイコ染料として３−ジ（ｎ−ブチル）アミノ−７−（ｏ−クロロフェニルアミノ）フルオランを用いるもの〈ア〉であるが、刊行物１には、感熱記録層に熱可融性物質としてヒンダードフェノール化合物である１，１，３−トリス−（２−メチル−４−ヒドロキシ−５−シクロヘキシルフエニル）ブタン、１，１，３−トリス（２−メチル−４−ヒドロキシ−５−ターシャリーブチルフエニル）ブタン、４，４’−ブチリデンビス（３−メチル−６−ターシャリーブチルフエノール）等を含有させると高温高湿度下での印字部分の保存性が向上すること〈イ〉、ロイコ染料として３−ジブチルアミノ−６−メチル−７−アニリノフルオラン等も併用できること〈ウ〉が記載され、比較例１には、ロイコ染料として３−ジブチルアミノ−６−メチル−７−アニリノフルオランを用いるものは、高温処理後の地肌カブリが劣るものの、発色濃度が高いこと〈カ〉が示されている。
　これらの記載によれば、刊行物１には、
　支持体の片面に、ロイコ染料、顕色剤及びヒンダードフエノール類を含む感熱発色層を設けた感熱記録材料において、
　ロイコ染料が３−ジブチルアミノ−６−メチル−７−アニリノフルオラン等であり、
　顕色剤が、２，４’−ジヒドロキシジフエニルスルホンであり、
　ヒンダードフエノール類が、１，１，３−トリス−（２−メチルー４ーヒドロキシ−５−シクロヘキシルフエニル）ブタン、１，１，３−トリス（２−メチル−４−ヒドロキシ−５−ターシャリーブチルフエニル）ブタン、４，４’−ブチリデンビス（３−メチ−６−ターシャリーブチルフエノール）等である、
　保護層を設けた感熱記録材料が開示されている。
　本願の請求項１に係る発明（以下、「本願発明」いう。）と刊行物１に開示された感熱記録材料とを対比すると、
　両者は、「支持体の片面に、ロイコ染料、顕色剤及びヒンダードフエノール類を含む感熱発色層を設けた感熱記録材料において、
　該ロイコ染料が、３−ジブチルアミノ−６−メチル−７−アニリノフルオランで、
　該顕色剤が２，４’−ジヒドロキシジフエニルスルホンで、
　該ヒンダードフエノール類が、１，１，３−トリス−（２−メチル−４−ヒドロキシ−５−シクロヘキシルフエニル）ブタン、１，１，３−トリス（２−メチル−４−ヒドロキシ−５−ターシャリーブチルフエニル）ブタン又は４，４’−ブチリデンビス（３−メチル−６−ターシャリーブチルフエノール）の少なくとも１種であり、
　更に、該感熱発色層の上に保護層が設けられている感熱記録材料。」である点で一致し、次の点で相違する。
・相違点
　本願発明では、増感剤として２−ベンジルオキシナフタレンを含むのに対して、刊行物１に開示された感熱記録材料ではこのような増感剤を含んでいない点。
　上記相違点について検討する。
　刊行物２には、本願発明及び刊行物１に開示された感熱記録材料とロイコ染料、顕色剤が同じであって、保護層を設けた感熱記録材料（実施例４）〈コ、サ〉、及び感熱記録材料の増感剤としてヒンダードフエノール化合物やナフチルベンジルエーテル等の熱可融性物質が使用できること〈ケ〉が記載されている。
　ところで、本願発明における増感剤の２−ベンジルオキシナフタレンは、ベンジルオキシ基がナフタリン環の２位に置換したナフチルベンジルエーテルであるから、該刊行物２のナフチルベンジルエーテルに相当するものである。
　そして、刊行物１には、ヒンダードフエノール化合物と共に、他の熱可融性物質を併用できること〈エ〉が記載されているから、感熱記録材料の増感剤として２−ベンジルオキシナフタレンを用いることは刊行物２の記載から容易に想到し得たことである。
　また、増感剤として２−ベンジルオキシナフタレンを併用したことによる作用効果が格別のものとも認められない。
　したがって、本願請求項１に係る発明は、刊行物１、２に記載された発明に基づいて、当業者が容易に発明をすることができたものである。
　　
　なお、請求人は、審判請求書において、本願発明は、顕色剤が２，４’−ジヒドロキシジフエニルスルホンで、ヒンダードフエノール類が、「１，１，３−トリス−（２−メチルー４ーヒドロキシ−５−シクロヘキシルフエニル）ブタン、１，１，３−トリス（２−メチル−４−ヒドロキシ−５−ターシャリーブチルフエニル）ブタン、４，４’−ブチリデンビス（３−メチ−６−ターシャリーブチルフエノール）」であって、これに増感剤を併用し、保護層を設けたことにより、耐水性、耐可塑剤性が向上したと主張している。
　また、当審からの拒絶理由の通知に対する平成１６年６月３日付け意見書において、請求人は、本願明細書に記載の実施例１〜３、比較例１、２の感熱記録材料を比較すると、本願発明は特定のヒンダードフエノール類を含有することよって耐水性が得られたと主張している。
　しかしながら、刊行物１の感熱記録材料も同じヒンダードフエノール類を含有し、保護層を有するのであるから、本願発明と同様に耐水性も有することになり、本願発明の耐水性は該刊行物１の感熱記録材料の性質を単に確認したにすぎない。
　　
　また、請求人は、審判請求書において、刊行物１の顕色剤が２，４’−ジヒドロキシジフエニルスルホンで、かつ感熱発色層の上に保護層が設けられたものである点で共通する実施例１と実施例３を比較すると、さらにヒンダードフエノール類を含有する実施例３の方が、ヒンダードフエノール類を含有しない実施例１と比較して感度が低下しているから、２，４’−ジヒドロキシジフエニルスルホン、ヒンダードフエノール類及び保護層を組み合わせることは容易に想到しえないと主張している。
　しかしながら、その感度の低下とは、表１の発色濃度の比較のことと認められ、実施例１が１．１８であるのに対して、実施例３が１．１７であるという、わずか０．０１の差があることのみを根拠にするにすぎないものであり、しかも実施例３は高温処理後の発色濃度が実施例１よりも優れるものであるから、該主張も採用できない。
　
５．むすび
　以上検討したとおり、本願請求項１に係る発明は、本願出願前に頒布された刊行物１及び２に記載の発明に基づいて当業者が容易に発明をすることができたものであるから、特許法第２９条第２項の規定により特許を受けることはできない。
　よって、結論のとおり審決する。